(57)【特許請求の範囲】
【請求項１】
望遠レンズ内に入射する不要な光を遮光するレンズフードにおいて、
前記レンズフードは、筒状の最外周の第１の遮光壁と、前記第１の遮光壁の内部空間を複数の空間に仕切る第２の遮光壁とから構成され、
前記第１の遮光壁及び前記第２の遮光壁は、それぞれ前記望遠レンズの画角内の被写体像の結像に用いられる第１の有効光線の進行方向と平行に設けられ、前記第１の有効光線以外の第１の不要光を遮光するレンズフード。
【請求項２】
前記レンズフードは、光束を２回以上反射させる反射光学系を含む反射式望遠レンズに適用され、
前記第２の遮光壁は、前記反射式望遠レンズの光軸中心から遠ざかるにしたがって前記反射式望遠レンズの光軸と平行に近づく請求項１に記載のレンズフード。
【請求項３】
前記レンズフードは、中央部の広角レンズと前記広角レンズの周辺部の環状の望遠レンズとからなる多焦点レンズに適用され、
前記第２の遮光壁は、前記多焦点レンズの前記望遠レンズに対応する環状の内部空間のみに設けられる請求項１又は２に記載のレンズフード。
【請求項４】
前記第１の遮光壁及び前記第２の遮光壁は、それぞれ前記多焦点レンズの前記広角レンズの画角内の被写体像の結像に用いられる第２の有効光線を遮光せず、前記第２の有効光線以外の第２の不要光を遮光する請求項３に記載のレンズフード。
【請求項５】
前記第１の遮光壁及び第２の遮光壁は、それぞれ前記多焦点レンズの光軸中心からの距離に応じて高さが異なり、前記多焦点レンズの前記広角レンズの画角内の被写体像の結像に用いられる第２の有効光線を遮光せず、前記第２の有効光線以外の第２の不要光を遮光する請求項３に記載のレンズフード。
【請求項６】
前記第１の遮光壁及び前記第２の遮光壁は、それぞれ前記多焦点レンズの光軸中心からの距離に応じて高さが異なり、かつ前記高さが低い程、前記第１の遮光壁及び前記第２の遮光壁の隣接する遮光壁の間隔が狭い請求項５に記載のレンズフード。
【請求項７】
前記第２の遮光壁は、前記第１の遮光壁の内部空間を同心円状、格子状、ハニカム状、又は円筒状に仕切る請求項１から６のいずれか１項に記載のレンズフード。
【請求項８】
前記第１の遮光壁及び前記第２の遮光壁は、それぞれ壁面に反射防止処理が施されている請求項１から７のいずれか１項に記載のレンズフード。
【請求項９】
請求項３から６のいずれか１項に記載のレンズフードと、
前記多焦点レンズと、
２次元状に配列された光電変換素子により構成された複数の画素を有する指向性センサであって、前記多焦点レンズの前記広角レンズ及び前記望遠レンズを介して入射する光束をそれぞれ瞳分割して選択的に受光する指向性センサと、
を備えた撮像装置。
【請求項１０】
前記指向性センサは、瞳分割部として機能するマイクロレンズアレイ又は遮光マスクを有する請求項９に記載の撮像装置。
【発明の詳細な説明】
【技術分野】
【０００１】
本発明はレンズフード及び撮像装置に係り、特に望遠レンズ内に入射する不要な光を遮光するレンズフード及び撮像装置に関する。
【背景技術】
【０００２】
撮像レンズにおいて、撮像に不要な光がレンズ内に入射すると、像の全体的なコントラストの低下や、不要な光点や光スジ、フレアなどの原因となる。そこで、不要な光のレンズ内への進入を遮る目的で、撮像レンズの先端部に筒状のレンズフードを取り付けることが一般的に行われている。
【０００３】
「一般形」
一般的なレンズフードの形状は、撮像レンズの画角によって異なる。不要光を遮り、かつ撮像に必要な光は遮ってはならないという機能目的から、望遠レンズの場合には、一般に単純な筒状であるが、広角レンズや魚眼レンズでは、上記条件を満たすために、筒の一部を切り欠いたような形状が採られることもある。とはいえ、従来のレンズフードは、筒状を基本形状とするものであった。
【０００４】
筒状のレンズフードによって斜め方向から入射してくる不要光を遮るためには、筒状のレンズフードには、ある程度の筒の長さが必要になる。
【０００５】
望遠レンズの場合には、図１７（ａ）及び（ｂ）に示すようにレンズに対してほぼ真正面の角度（撮像画角以内の角度）で入射してくる光のみが必要光（有効光線）であり、図１７（ｃ）に示すように撮像画角を越える大きな角度で入射してくる斜め光は、鏡筒内で反射するなど迷光の原因となり、不要である。よって、図１７（ｄ）に示すように有効光線よりもわずかに傾いた不要な斜め光を、筒状のレンズフード１で遮るためには、筒の長さを非常に長くする必要がある。
【０００６】
一般に望遠レンズは焦点距離が長いため鏡筒は長大となりがちであるが、その上、レンズフードまでが長いとなれば、カメラのレンズ部全体が著しく長大となってしまい、好ましくないのは明らかである。
【０００７】
従来、レンズフードを短くすることができ、かつ画像形成に関わらない不要光を遮光することができるレンズフードが提案されている（特許文献１、２）。
【０００８】
特許文献１に記載のレンズフードは、レンズの最も物体側のレンズ面に入射する光束のうち、レンズが開放の場合に画像の形成に関わる光束を遮らないように配置された第１のフード部と、この第１のフード部の内側であって、画像の形成に関わる光束の一部を遮るように配置された第２のフード部とから構成されている。また、第１のフード部と第２のフード部とは同心円状に設けられ、第２のフード部の内壁は、光軸と略平行になるように配置されている。
【０００９】
特許文献２には、レンズフードの内部に不透明な遮光壁が網状に形成され、平面的には、格子状、長方形状、多角形状、蜂の巣状、菱形状、円形状のレンズフードが記載されている。また、不透明な遮光壁の断面の集合は、平行になっていることが記載されている。
【先行技術文献】
【特許文献】
【００１０】
【特許文献１】特開２０１２−２５２１７７号公報
【特許文献２】特開昭６１−１４９９３８号公報
【発明の概要】
【発明が解決しようとする課題】
【００１１】
特許文献１、２に記載のレンズフードは、最外周の筒状のフード内部の空間内に同心円状、格子状等の遮光壁を設け、これにより画像形成に関わらない不要光を遮光しつつ、レンズフードを短くすることができるようにしている。
【００１２】
しかしながら、フード内部の空間内に設けられている遮光壁は、いずれも光軸に平行になるように配置されているため、光軸と平行な有効光線については、その有効光線を極力遮らないようにすることができるが、光軸と平行でない有効光線については、光軸との角度が大きくなるにしたがって遮る有効光線も大きくなるという問題がある。
【００１３】
本発明はこのような事情に鑑みてなされたものであり、撮像に不要な光を遮光しつつ、レンズフードの長さを短く（小型化）することができ、かつ撮像に必要な有効光線が遮光されるのを最小限にすることができるレンズフード及び撮像装置を提供することを目的とする。
【課題を解決するための手段】
【００１４】
上記目的を達成するために本発明の一の態様は、望遠レンズ内に入射する不要な光を遮光するレンズフードにおいて、レンズフードは、筒状の最外周の第１の遮光壁と、第１の遮光壁の内部空間を複数の空間に仕切る第２の遮光壁とから構成され、第１の遮光壁及び第２の遮光壁は、それぞれ望遠レンズの画角内の被写体像の結像に用いられる第１の有効光線の進行方向と平行に設けられ、第１の有効光線以外の第１の不要光を遮光する。
【００１５】
本発明の一の態様によれば、筒状の最外周の第１の遮光壁の内部空間を、第２の遮光壁により複数の空間に仕切るようにしたため、仕切られた各空間の縦断面のアスペクト比を小さくすることができ、これにより撮像画角を越える大きな角度で入射してくる斜め光（不要光）を遮光することができ、かつ第１の遮光壁及び第２の遮光壁（レンズフード）の長さを、第２の遮光壁が設けられていない通常のレンズフードに比べて短くすることができる。また、第１の遮光壁及び第２の遮光壁は、それぞれ望遠レンズの画角内の被写体像の結像に用いられる第１の有効光線の進行方向と平行に設けられているため、不要光を確実に遮光しつつ、第１の有効光線が遮光されるのを最小限にすることができる。
【００１６】
本発明の他の態様に係るレンズフードにおいて、レンズフードは、光束を２回以上反射させる反射光学系を含む反射式望遠レンズに適用され、第２の遮光壁は、反射式望遠レンズの光軸中心から遠ざかるにしたがって反射式望遠レンズの光軸と平行に近づくことが好ましい。
【００１７】
望遠レンズの一つの形態である反射式望遠レンズは、光路を折り返すことで、焦点距離の長いレンズを小型化することができるが、本発明に係るレンズフードをこのような反射式望遠レンズに適用することにより、望遠レンズ及びレンズフードを含む全長を短くすることができる。また、反射式望遠レンズの場合、レンズ周辺側に入射する有効光線は、結像面の中心部に結像し、レンズ中心側に入射する有効光線は、結像面の周辺部に結像するため、第２の遮光壁は、反射式望遠レンズの光軸中心から遠ざかるにしたがって反射式望遠レンズの光軸と平行に近づくように設けられている。
【００１８】
本発明の更に他の態様に係るレンズフードにおいて、レンズフードは、中央部の広角レンズと広角レンズの周辺部の環状の望遠レンズとからなる多焦点レンズに適用され、第２の遮光壁は、多焦点レンズの望遠レンズに対応する環状の内部空間のみに設けられることが好ましい。
【００１９】
多焦点レンズにおいて、望遠レンズに最適化したレンズフードを適用すると、広角レンズの視野を遮ってしまうことになる。そこで、第２の遮光壁は、多焦点レンズの望遠レンズに対応する環状の内部空間のみに設けられている。
【００２０】
本発明の更に他の態様に係るレンズフードにおいて、第１の遮光壁及び第２の遮光壁は、それぞれ多焦点レンズの広角レンズの画角内の被写体像の結像に用いられる第２の有効光線を遮光せず、第２の有効光線以外の第２の不要光を遮光することが好ましい。即ち、第１の遮光壁及び第２の遮光壁は、多焦点レンズの広角レンズの視野を遮らないように構成されている。
【００２１】
本発明の更に他の態様に係るレンズフードにおいて、第１の遮光壁及び第２の遮光壁は、それぞれ多焦点レンズの光軸中心からの距離に応じて高さが異なり、多焦点レンズの広角レンズの画角内の被写体像の結像に用いられる第２の有効光線を遮光せず、第２の有効光線以外の第２の不要光を遮光することが好ましい。即ち、第１の遮光壁及び第２の遮光壁の高さを、それぞれ多焦点レンズの光軸中心からの距離に応じて異ならせることにより、多焦点レンズの広角レンズの画角に対応する高さにすることができ、多焦点レンズの広角レンズの視野を遮らないようにすることができる。
【００２２】
本発明の更に他の態様に係るレンズフードにおいて、第１の遮光壁及び第２の遮光壁は、それぞれ多焦点レンズの光軸中心からの距離に応じて高さが異なり、かつ高さが低い程、第１の遮光壁及び第２の遮光壁の隣接する遮光壁の間隔が狭いことが好ましい。第１の遮光壁及び第２の遮光壁の高さが低くなると、不要光（斜め光）が入射しやすくなるため、遮光壁の高さが低くなる程、遮光壁間の間隔を狭くし、斜め光が入射しないようにしている。
【００２３】
本発明の更に他の態様に係るレンズフードにおいて、第２の遮光壁は、第１の遮光壁の内部空間を同心円状、格子状、ハニカム状、又は円筒状に仕切るように形成される。
【００２４】
本発明の更に他の態様に係るレンズフードにおいて、第１の遮光壁及び第２の遮光壁は、それぞれ壁面に反射防止処理が施されていることが好ましい。これにより、第１の遮光壁及び第２の遮光壁の壁面で遮光される不要光の反射を防止し、迷光・散乱光の除去及び吸収を行うようにしている。
【００２５】
本発明の更に他の態様に係る撮像装置は、上記のように構成されたレンズフードと、多焦点レンズと、２次元状に配列された光電変換素子により構成された複数の画素を有する指向性センサであって、多焦点レンズの広角レンズ及び望遠レンズを介して入射する光束をそれぞれ瞳分割して選択的に受光する指向性センサと、を備えている。
【００２６】
本発明の更に他の態様によれば、それぞれ広角像及び望遠像が多焦点レンズの広角レンズ及び望遠レンズを介して指向性センサに結像（瞳分割されて個別に結像）され、指向性センサから広角像及び望遠像を同時に取得することができ、特にレンズフードにより望遠像に対する不要光が遮光されるため、良好な望遠像を取得することができる。
【００２７】
本発明の更に他の態様に係る撮像装置において、指向性センサは、瞳分割部として機能するマイクロレンズアレイ又は遮光マスクを有するものとすることができる。
【発明の効果】
【００２８】
本発明によれば、筒状の最外周の第１の遮光壁の内部空間を、第２の遮光壁により複数の空間に仕切るようにしたため、望遠レンズの撮像画角を越えて入射してくる斜め光（不要光）を遮光することができ、かつレンズフードの長さを第２の遮光壁が設けられていない通常のレンズフードに比べて短くすることができる。また、第１の遮光壁及び第２の遮光壁は、それぞれ望遠レンズの画角内の被写体像の結像に用いられる第１の有効光線の進行方向と平行に設けられているため、不要光を確実に遮光しつつ、第１の有効光線が遮光されるのを最小限にすることができる。
【図面の簡単な説明】
【００２９】
【図１】図１は本発明に係るレンズフードの第１の実施形態を示す斜視図である。
【図２】図２は図１に示したレンズフードの正面図である。
【図３】図３は図２の３−３線に沿う断面図である。
【図４】図４は望遠レンズに装着したレンズフードの作用を模式的に示す図である。
【図５】図５は本発明に係るレンズフードの第２の実施形態を示す斜視図である。
【図６】図６は本発明に係るレンズフードの第３の実施形態を示す斜視図である。
【図７】図７は本発明に係るレンズフードの第４の実施形態を示す斜視図である。
【図８】図８は本発明に係るレンズフードの第５の実施形態を示す斜視図である。
【図９】図９は第５の実施形態のレンズフードと、このレンズフードが適用される反射式望遠レンズを含む撮像部の断面図である。
【図１０】図１０は第５の実施形態のレンズフードの要部断面図である。
【図１１】図１１は本発明に係る撮像装置の外観斜視図である。
【図１２】図１２は指向性センサを構成するマイクロレンズアレイ及びイメージセンサの要部拡大図である。
【図１３】図１３は撮像装置の内部構成の実施形態を示すブロック図である。
【図１４】図１４は指向性センサの他の実施形態を示す側面図である。
【図１５】図１５は撮像装置の他の実施形態であるスマートフォンの外観図である。
【図１６】図１６はスマートフォンの要部構成を示すブロック図である。
【図１７】図１７は従来技術を模式的に示す図である。
【発明を実施するための形態】
【００３０】
以下、添付図面に従って本発明に係るレンズフード及び撮像装置の実施の形態について説明する。
【００３１】
＜レンズフードの第１の実施形態＞
図１は本発明に係るレンズフードの第１の実施形態を示す斜視図であり、図２は図１に示したレンズフードの正面図、図３は図２の３−３線に沿う断面図である。
【００３２】
図１から図３に示すように第１の実施形態のレンズフード１０は、一般的な望遠レンズ２（図４参照）に装着されるレンズフードであり、主として筒状の最外周の第１の遮光壁１２と、第１の遮光壁１２の内部空間を複数の空間に仕切る筒状の第２の遮光壁１４（本例では、３つの第２の遮光壁１４ａ、１４ｂ、１４ｃ）とから構成されている。
【００３３】
第１の遮光壁１２と第２の遮光壁１４とは、同心円状に設けられており、それぞれ十字状の支持部３０ａ，３０ｂにより各遮光壁の先端部及び後端部が連結されている。また、図３に示すように第１の遮光壁１２の後端部には、望遠レンズの鏡筒にレンズフード１０を装着するための装着部１２ａが形成されている。
【００３４】
筒状の最外周の第１の遮光壁１２の内部空間を、第２の遮光壁１４により複数の空間に仕切るようにしたため、図３に示すように仕切られた各空間の縦断面のアスペクト比を小さくすることができ、これにより撮像画角を越える大きな角度で入射してくる斜め光（不要光）を遮光することができ、かつ第１の遮光壁１２及び第２の遮光壁１４の長さを、第２の遮光壁１４が設けられていない通常のレンズフードに比べて短くすることができる。
【００３５】
また、第１の遮光壁１２及び第２の遮光壁１４は、光軸と平行ではなく、それぞれ望遠レンズの画角内の被写体像の結像に用いられる有効光線（第１の有効光線）の進行方向と平行（ほぼ平行の場合も含む）になるように設けられており、個々の遮光壁は、先端部と後端部の直径が異なるラッパ状に形成されている。
【００３６】
図３に示すようにレンズフード１０の中心部の第２の遮光壁１４ｃは、全有効光線のうちの第２の遮光壁１４ｃにより仕切られた空間に対応する有効光線を通過させ、この有効光線の画角を越える角度で入射してくる斜め光を遮光するが、通過させる有効光線の進行方向（通過させる有効光線の中心の光線の進行方向）とほぼ平行になるように形成されている。本例の場合、第２の遮光壁１４ｃが通過させる有効光線の中心の光線は、レンズフード１０が望遠レンズに装着された場合の望遠レンズの光軸Ｌと一致し、第２の遮光壁１４ｃは、望遠レンズの光軸Ｌとほぼ平行になっている。
【００３７】
一方、第１の遮光壁１２と第２の遮光壁１４ａとにより仕切られた空間（レンズフード１０の周辺部の空間）を通過する有効光線は、全有効光線のうちの撮像画角の画角端の有効光線を含んでおり、第１の遮光壁１２及び第２の遮光壁１４ａは、この有効光線の進行方向とほぼ平行になるように形成されている。尚、第１の遮光壁１２及び第２の遮光壁１４ａは、図３に示すように光軸Ｌとは平行にならず、光軸Ｌの方向に対して傾斜している。
【００３８】
同様に、第２の遮光壁１４ｂは、第２の遮光壁１４ａと第２の遮光壁１４ｃとの中間の傾きを持つように形成されている。
【００３９】
図４は、望遠レンズ２に装着したレンズフード１０の作用を模式的に示す図である。
【００４０】
図４（ａ）は、光軸Ｌとほぼ平行な有効光線がレンズフード１０を介して望遠レンズ２に入射する様子を示しており、図４（ｂ）は、撮像画角の画角端の有効光線がレンズフード１０を介して望遠レンズ２に入射する様子を示している。
【００４１】
図４（ｃ）は、撮像画角の画角端を越える不要光がレンズフード１０により遮光される様子を示しており、同図に示すように撮像画角の画角端を越える不要光は、第１の遮光壁１２及び第２の遮光壁１４により遮光される。
【００４２】
このように第１の遮光壁１２及び第２の遮光壁１４を、望遠レンズ２の画角内の被写体像の結像に用いられる第１の有効光線の進行方向と平行に設けるようにしたため、不要光を確実に遮光しつつ、第１の有効光線が遮光されるのを最小限にすることができる。
【００４３】
また、第１の遮光壁１２及び第２の遮光壁１４は、それぞれ壁面に反射防止処理が施されており、これにより壁面で遮光される光の反射を防止し、迷光・散乱光の除去及び吸収を行う。反射防止処理としては、例えば、ツヤ消しの黒塗装、反射防止膜によるコーディング等が考えられる。
【００４４】
＜レンズフードの第２、第３及び第４の実施形態＞
図５、図６及び図７は、それぞれ本発明に係るレンズフードの第２、第３及び第４の実施形態を示す斜視図である。
【００４５】
図５に示す第２の実施形態のレンズフード１０−２は、筒状の最外周の第１の遮光壁１２−２と、第１の遮光壁１２−２の内部空間を複数の空間に仕切る格子状の第２の遮光壁１４−２（本例では、正方格子状の第２の遮光壁）とから構成されている。
【００４６】
第１の遮光壁１２−２及び第２の遮光壁１４−２は、光軸と平行ではなく、それぞれ望遠レンズの画角内の被写体像の結像に用いられる有効光線の進行方向と平行になるように設けられている。
【００４７】
図６に示す第３の実施形態のレンズフード１０−３は、筒状の最外周の第１の遮光壁１２−３と、第１の遮光壁１２−３の内部空間を複数の空間に仕切るハニカム状の第２の遮光壁１４−３から構成されている。
【００４８】
第１の遮光壁１２−３及び第２の遮光壁１４−３は、光軸と平行ではなく、それぞれ望遠レンズの画角内の被写体像の結像に用いられる有効光線の進行方向と平行になるように設けられている。
【００４９】
図７に示す第４の実施形態のレンズフード１０−４は、筒状の最外周の第１の遮光壁１２−４と、第１の遮光壁１２−４の内部空間を複数の空間に仕切る円筒状の第２の遮光壁１４−４とから構成されている。
【００５０】
第１の遮光壁１２−４及び第２の遮光壁１４−４は、光軸と平行ではなく、それぞれ望遠レンズの画角内の被写体像の結像に用いられる有効光線の進行方向と平行になるように設けられており、個々の遮光壁は、先端部と後端部の直径が異なるラッパ状に形成されている。
【００５１】
尚、第２、第３及び第４の実施形態のレンズフード１０−２〜１０−４は、第１の実施形態のレンズフード１０とはレンズフードの形状（特に第２の遮光壁の形状）が異なるものの、第１の実施形態のレンズフード１０と同様の機能を有する。
【００５２】
＜レンズフードの第５の実施形態＞
図８は本発明に係るレンズフードの第５の実施形態を示す斜視図であり、図９は第５の実施形態のレンズフードと、このレンズフードが適用される反射式望遠レンズを含む撮像部の断面図である。
【００５３】
図８に示すように第１の実施形態のレンズフード１０−５は、反射式望遠レンズ（図９に示す実施形態では、反射式望遠レンズ１３−２を含む多焦点レンズ１３）に装着されるレンズフードであり、主として筒状の最外周の第１の遮光壁１２−５と、第１の遮光壁１２−５の内部空間であって、反射式望遠レンズ１３−２に対応する環状の内部空間を複数の空間に仕切る筒状の第２の遮光壁１４−５（本例では、４つの第２の遮光壁１４−５ａ、１４−５ｂ、１４−５ｃ、１４−５ｄ）とから構成されている。
【００５４】
第１の遮光壁１２−５と第２の遮光壁１４−５とは、同心円状に設けられており、それぞれ十字状の支持部３０−５ａ，３０−５ｂにより各遮光壁の先端部及び後端部が連結されている。また、第１の遮光壁１２−５の後端部には、反射式望遠レンズ（図９に示す多焦点レンズ１３）の鏡筒にレンズフード１０−５を装着するための装着部１２−５ａが形成されている。
【００５５】
［多焦点レンズ］
次に、反射式望遠レンズ１３−２を含む多焦点レンズ１３について説明する。
【００５６】
図９に示すように多焦点レンズ１３は、それぞれ同一の光軸上に配置された、中央部の広角レンズ１３−１と、その周辺部の環状の望遠レンズ（反射式望遠レンズ）１３−２とから構成されている。
【００５７】
広角レンズ１３−１は、第１レンズ１３−１ａ〜第１０レンズ１３−１ｊ及び共通レンズ１５から構成された広角レンズであり、指向性センサ１７上に広角画像を結像させる。
【００５８】
反射式望遠レンズ１３−２は、第１レンズ１３−２ａ、第２レンズ１３−２ｂ、第３レンズ１３−２ｃ、反射光学系としての第１反射ミラー１３−２ｄ、第２反射ミラー１３−２ｄ、及び共通レンズ１５から構成された望遠レンズであり、指向性センサ１７上に望遠画像を結像させる。
【００５９】
反射式望遠レンズ１３−２の第１レンズ１３−２ａ、第２レンズ１３−２ｂ、及び第３レンズ１３−２ｃを介して入射した光束は、第１反射ミラー１３−２ｄ及び第２反射ミラー１３−２ｅにより２回反射された後、共通レンズ１５を通過する。第１反射ミラー１３−２ｄ及び第２反射ミラー１３−２ｅにより光束が折り返されることにより、焦点距離の長い望遠レンズの光軸方向の長さを短くしている。
【００６０】
上記構成の反射式望遠レンズ１３−２を含む多焦点レンズ１３に適用される、第５実施形態のレンズフード１０−５は、最外周の第１の遮光壁１２−５の内部空間を第２の遮光壁１４−５により複数の空間に仕切るようにしたため、第１の実施形態のレンズフード１０と同様に撮像画角を越える大きな角度で入射してくる斜め光（不要光）を遮光することができ、かつ第１の遮光壁１２−５及び第２の遮光壁１４−５の長さを、第２の遮光壁１４−５が設けられていない通常のレンズフードに比べて短くすることができる。
【００６１】
また、第１の遮光壁１２−５及び第２の遮光壁１４−５は、光軸と平行ではなく、それぞれ反射式望遠レンズ１３−２の画角内の被写体像の結像に用いられる有効光線（第１の有効光線）の進行方向と平行になるように設けられており、個々の遮光壁は、先端部と後端部の直径が異なるラッパ状に形成されている。尚、第５実施形態のレンズフード１０−５は、先端部の直径が後端部の直径よりも大きくなっている点で、第１の実施形態のレンズフード１０と相違する。
【００６２】
図１０は、第５の実施形態のレンズフード１０−５の要部断面図である。
【００６３】
図９及び図１０に示すようにレンズフード１０−５の第１の遮光壁１２−５と第２の遮光壁１４−５ａとにより仕切られた空間（レンズフード１０−５の周辺部の空間）を通過する有効光線は、反射式望遠レンズ１３−２の性質上、指向性センサ１７の結像面の中心部に結像する。従って、反射式望遠レンズ１３−２の全有効光線のうちのレンズフード１０−５の周辺部の空間を通過する有効光線の進行方向は、光軸Ｌと平行であり、有効光線の進行方向と平行になるように形成された第１の遮光壁１２−５及び第２の遮光壁１４−５ａは、光軸Ｌと平行になる。
【００６４】
一方、第２の遮光壁１４−５ｃと第２の遮光壁１４−５ｄとにより仕切られた空間（レンズフード１０の中心側の空間）を通過する有効光線は、反射式望遠レンズ１３−２の性質上、指向性センサ１７の結像面の周辺部に結像する。従って、反射式望遠レンズ１３−２の全有効光線のうちのレンズフード１０−５の中心側の空間を通過する有効光線は、反射式望遠レンズ１３−２の撮像画角の画角端の有効光線を含んでおり、第２の遮光壁１４−５ｃ及び第２の遮光壁１４−５ｄは、この有効光線の進行方向とほぼ平行になるように形成されている。即ち、第２の遮光壁１４−５ｃ及び第２の遮光壁１４−５ｄは、光軸Ｌと平行になっておらず、光軸Ｌの方向に対して傾斜し、特に遮光壁の先端部の直径よりも後端部の直径が大きくなるように傾斜している。
【００６５】
同様に、第２の遮光壁１４−５ｂは、第２の遮光壁１４−５ａと第２の遮光壁１４−５ｃとの中間の傾きを持つように形成されている。
【００６６】
このように第２の遮光壁１４−５ａ、１４−４ｄは、反射式望遠レンズ１３−２の光軸中心から遠ざかるにしたがって反射式望遠レンズ１３−２の光軸Ｌと平行に近づくように傾斜している。
【００６７】
また、図１０に示すようにレンズフード１０−５の第１の遮光壁１２−５及び第２の遮光壁１４−５の各遮光壁の先端部の間隔は、レンズフード１０−５の中心側ほど広くなっており、各遮光壁の後端部の間隔は、ほぼ同一になっている。
【００６８】
更に、図１０に示すようにレンズフード１０−５の第１の遮光壁１２−５及び第２の遮光壁１４−５の各遮光壁の高さ（光軸方向の長さ）は、多焦点レンズ１３の光軸中心からの距離に応じて高さが異なり、第２の遮光壁１４−５ｂ、１４−５ｃ、１４−５ｄの高さは、第１の遮光壁１２−５及び第２の遮光壁１４−５ａに比べて順次低くなっている。
【００６９】
上記構成によるレンズフード１０−５によれば、反射式望遠レンズ１３−２の画角内の被写体像の結像に用いられる第１の有効光線を可能な限り通過させるとともに、第１の有効光線以外の不要光（第１の不要光）を確実に遮光することができ、また、図９に示すように多焦点レンズ１３の広角レンズ１３−１の画角内の被写体像の結像に用いられる有効光線（第２の有効光線）を通過させる（レンズフード１０−５によって遮光されないようにする）とともに、第２の有効光線以外の不要光（第２の不要光）を遮光することができる。
【００７０】
尚、第５の実施形態のレンズフード１０−５は、図９に示した反射式望遠レンズ１３−２を有する多焦点レンズ１３に限らず、単独の反射式望遠レンズにも適用できることは言うまでもない。
【００７１】
［撮像装置］
図１１は本発明に係る撮像装置の外観斜視図である。
【００７２】
図１１に示す撮像装置は、図９に示した多焦点レンズ１３及び指向性センサ１７を備えており、多焦点レンズ１３の鏡筒には、図８等に示した第５の実施形態のレンズフード１０−５が着脱自在に、又は着脱不能に固定されている。
【００７３】
＜指向性センサ＞
図１２は指向性センサ１７の要部拡大図である。図１２に示すように、図９に示した多焦点レンズ１３に適用される指向性センサ１７は、瞳分割部に相当するマイクロレンズアレイ１６と、イメージセンサ１８とから構成されている。
【００７４】
マイクロレンズアレイ１６は、複数のマイクロレンズ（瞳結像レンズ）１６ａが２次元状に配列されて構成されており、各マイクロレンズの水平方向及び垂直方向の間隔は、イメージセンサ１８の光電変換素子である受光セル１８ａの３つ分の間隔に対応している。即ち、マイクロレンズアレイ１６の各マイクロレンズは、水平方向及び垂直方向の各方向に対して、２つ置きの受光セルの位置に対応して形成されたものが使用される。
【００７５】
また、マイクロレンズアレイ１６の各マイクロレンズ１６ａは、多焦点レンズ１３の広角レンズ１３−１及び反射式望遠レンズ１３−２に対応する、円形の中央瞳像（第１の瞳像）１７ａ及び環状瞳像（第２の瞳像）１７ｂを、イメージセンサ１８の対応する受光領域の受光セル１８ａ上に結像させる。
【００７６】
図１２に示すマイクロレンズアレイ１６及びイメージセンサ１８によれば、マイクロレンズアレイ１６の１マイクロレンズ１６ａ当たりに付き、格子状（正方格子状）の３×３個の受光セル１８ａが割り付けられている。
【００７７】
＜撮像装置の内部構成＞
図１３は、図１２に示した撮像装置の内部構成の実施形態を示すブロック図である。
【００７８】
図１３に示すように撮像装置は、図９で説明した広角レンズ１３−１及び反射式望遠レンズ１３−２を有する多焦点レンズ１３と、図１２で説明したマイクロレンズアレイ１６及びイメージセンサ１８を有する指向性センサ１７とからなる撮像部１１を備えている。
【００７９】
この撮像部１１は、反射式望遠レンズ１３−２の焦点調整を行う焦点調整部１９を備えることが好ましい。尚、広角レンズ１３−１については、別途、焦点調整部を設けるようにしてよいし、パンフォーカスとしてもよい。
【００８０】
撮像部１１は、多焦点レンズ１３及び指向性センサ１７を介して広角画像及び望遠画像を同時に撮像することができ、多焦点レンズ１３を介して指向性センサ１７（イメージセンサ１８）の各受光セル（光電変換素子）の受光面に結像された被写体像は、その入射光量に応じた量の信号電圧（または電荷）に変換される。
【００８１】
イメージセンサ１８に蓄積された信号電圧（または電荷）は、受光セルそのもの若しくは付設されたキャパシタに蓄えられる。蓄えられた信号電圧（または電荷）は、Ｘ−Ｙアドレス方式を用いたＭＯＳ(Metal Oxide Semiconductor)型撮像素子（いわゆるＣＭＯＳ(Complementary Metal Oxide Semiconductor)センサ）の手法を用いて、受光セル位置の選択とともに読み出される。
【００８２】
これにより、イメージセンサ１８から広角レンズ１３−１に対応する中央の受光セルのグループの広角画像を示す画素信号と、反射式望遠レンズ１３−２に対応する周囲８個の受光セルのグループの望遠画像を示す画素信号とを読み出すことができる。
【００８３】
イメージセンサ１８から読み出された画素信号（電圧信号）は、相関二重サンプリング処理（センサ出力信号に含まれるノイズ（特に熱雑音）等を軽減することを目的として、受光セル毎の出力信号に含まれるフィードスルー成分レベルと信号成分レベルとの差をとることにより正確な画素データを得る処理）により受光セル毎の画素信号がサンプリングホールドされ、増幅されたのちＡ／Ｄ(Analog-to-Digital)変換器２０に加えられる。Ａ／Ｄ変換器２０は、順次入力する画素信号をデジタル信号に変換して画像取得部２２に出力する。尚、ＭＯＳ型センサでは、Ａ／Ｄ変換器が内蔵されているものがあり、この場合、イメージセンサ１８から直接デジタル信号が出力される。
【００８４】
画像取得部２２は、イメージセンサ１８の受光セル位置を選択して画素信号を読み出すことにより、広角画像を示す画素信号と望遠画像を示す画素信号とを同時に、又は選択的に取得することができる。
【００８５】
即ち、イメージセンサ１８の中央瞳像１７ａが入射する受光セルの画素信号を選択的に読み出すことにより、１マイクロレンズ当たり１個の受光セル（３×３の受光セルの中央の受光セル）の広角画像を示す画素信号を取得することができ、一方、イメージセンサ１８の環状瞳像１７ｂが入射する受光セルの画素信号を選択的に読み出すことにより、１マイクロレンズ当たり８個の受光セル（３×３の受光セルの周囲の受光セル）の望遠画像を示す画素信号を取得することができる。
【００８６】
尚、イメージセンサ１８から全ての画素信号を読み出してバッファメモリに一時的に記憶させ、バッファメモリに記憶させた画素信号から、広角画像と望遠画像の２つ画像の画素信号のグループ分けを行ってもよい。
【００８７】
画像取得部２２により取得された広角画像及び望遠画像を示す画素信号は、デジタル信号処理部４０に出力される。
【００８８】
デジタル信号処理部４０は、入力するデジタルの画素信号に対して、オフセット処理、ガンマ補正処理等の所定の信号処理を行う。
【００８９】
デジタル信号処理部４０で処理された広角画像及び望遠画像を示す画像信号は、それぞれ記録部４２及び表示部４４に出力される。記録部４２は、デジタル信号処理部４０により処理された広角画像及び望遠画像を示す動画記録用又は静止画記録用の画像信号を記録媒体（ハードディスク、メモリカード等）に記録する。
【００９０】
表示部４４は、デジタル信号処理部４０により処理された広角画像及び望遠画像を示す動画表示用又は静止画表示用の画像信号により、広角画像及び望遠画像を表示する。尚、表示部４４は、記録部４２に記録された画像信号に基づいて広角画像及び望遠画像を再生することもできる。
【００９１】
＜指向性センサの他の実施形態＞
図１４は、指向性センサの他の実施形態を示す側面図である。
【００９２】
この指向性センサ１７０は、瞳分割部に相当するマイクロレンズアレイ１６０及び遮光マスクとして機能する遮光部材１５０と、遮光部材１５０により受光セル１８０ａ、１８０ｂの一部が遮光されたイメージセンサ１８０とから構成されている。尚、遮光部材１５０により一部が遮光された受光セル１８０ａと受光セル１８０ｂとは、イメージセンサ１８０の左右方向及び上下方向に交互（チェッカーフラグ状）に設けられている。
【００９３】
マイクロレンズアレイ１６０は、イメージセンサ１８０の受光セル１８０ａ、１８０ｂと一対一に対応するマイクロレンズ１６０ａを有している。
【００９４】
遮光部材１５０は、イメージセンサ１８０の受光セル１８０ａ、１８０ｂの開口を規制するものであり、図９に示した多焦点レンズ１３の広角レンズ１３−１及び反射式望遠レンズ１３−２に対応する開口形状を有している。
【００９５】
受光セル１８０ａは、遮光部材１５０の遮光部１５０ａによりその開口の周辺部が遮光され、一方、受光セル１８０ｂは、遮光部材１５０の遮光部１５０ｂによりその開口の中心部が遮光されている。これにより、多焦点レンズ１３の広角レンズ１３−１を通過した光束は、マイクロレンズアレイ１６０及び遮光部材１５０の遮光部１５０ａにより瞳分割されて受光セル１８０ａに入射し、一方、多焦点レンズ１３の反射式望遠レンズ１３−２を通過した光束は、マイクロレンズアレイ１６０及び遮光部材１５０の遮光部１５０ｂにより瞳分割されて受光セル１８０ｂに入射する。
【００９６】
これにより、イメージセンサ１８０の各受光セル１８０ａから広角画像の画素信号を読み出すことができ、イメージセンサ１８０の各受光セル１８０ｂから望遠画像の画素信号を読み出すことができる。
【００９７】
撮像装置の他の実施形態としては、例えば、カメラ機能を有する携帯電話機やスマートフォン、PDA(Personal Digital Assistants)、携帯型ゲーム機が挙げられる。以下、スマートフォンを例に挙げ、図面を参照しつつ、詳細に説明する。
【００９８】
＜スマートフォンの構成＞
図１５は、撮像装置の他の実施形態であるスマートフォン５００の外観を示すものである。図１５に示すスマートフォン５００は、平板状の筐体５０２を有し、筐体５０２の一方の面に表示部としての表示パネル５２１と、入力部としての操作パネル５２２とが一体となった表示入力部５２０を備えている。また、筐体５０２は、スピーカ５３１と、マイクロホン５３２、操作部５４０と、カメラ部５４１とを備えている。尚、筐体５０２の構成はこれに限定されず、例えば、表示部と入力部とが独立した構成を採用することや、折り畳み構造やスライド機構を有する構成を採用することもできる。
【００９９】
図１６は、図１５に示したスマートフォン５００の構成を示すブロック図である。図１６に示すように、スマートフォン５００の主たる構成要素として、無線通信部５１０と、表示入力部５２０と、通話部５３０と、操作部５４０と、カメラ部５４１と、記憶部５５０と、外部入出力部５６０と、ＧＰＳ(Global Positioning System)受信部５７０と、モーションセンサ部５８０と、電源部５９０と、主制御部５０１とを備える。また、スマートフォン５００の主たる機能として、基地局装置ＢＳと移動通信網ＮＷとを介した移動無線通信を行う無線通信機能を備える。
【０１００】
無線通信部５１０は、主制御部５０１の指示に従って、移動通信網ＮＷに収容された基地局装置ＢＳに対し無線通信を行うものである。この無線通信を使用して、音声データ、画像データ等の各種ファイルデータ、電子メールデータなどの送受信や、Ｗｅｂデータやストリーミングデータなどの受信を行う。
【０１０１】
表示入力部５２０は、主制御部５０１の制御により、画像（静止画及び動画）や文字情報などを表示して視覚的にユーザに情報を伝達すると共に、表示した情報に対するユーザ操作を検出する、いわゆるタッチパネルであって、表示パネル５２１と、操作パネル５２２とを備える。生成された３Ｄ画像を鑑賞する場合には、表示パネル５２１は、３Ｄ表示パネルであることが好ましい。
【０１０２】
表示パネル５２１は、LCD(Liquid Crystal Display)、OELD(Organic Electro-Luminescence Display)などを表示デバイスとして用いたものである。
【０１０３】
操作パネル５２２は、表示パネル５２１の表示面上に表示される画像を視認可能に載置され、ユーザの指や尖筆によって操作される一又は複数の座標を検出するデバイスである。このデバイスをユーザの指や尖筆によって操作すると、操作に起因して発生する検出信号を主制御部５０１に出力する。次いで、主制御部５０１は、受信した検出信号に基づいて、表示パネル５２１上の操作位置（座標）を検出する。
【０１０４】
図１５に示すように、スマートフォン５００の表示パネル５２１と操作パネル５２２とは一体となって表示入力部５２０を構成しているが、操作パネル５２２が表示パネル５２１を完全に覆うような配置となっている。この配置を採用した場合、操作パネル５２２は、表示パネル５２１外の領域についても、ユーザ操作を検出する機能を備えてもよい。換言すると、操作パネル５２２は、表示パネル５２１に重なる重畳部分についての検出領域（以下、表示領域と称する）と、それ以外の表示パネル５２１に重ならない外縁部分についての検出領域（以下、非表示領域と称する）とを備えていてもよい。
【０１０５】
尚、表示領域の大きさと表示パネル５２１の大きさとを完全に一致させても良いが、両者を必ずしも一致させる必要はない。また、操作パネル５２２が、外縁部分と、それ以外の内側部分の２つの感応領域を備えていてもよい。更に、外縁部分の幅は、筐体５０２の大きさなどに応じて適宜設計されるものである。更にまた、操作パネル５２２で採用される位置検出方式としては、マトリクススイッチ方式、抵抗膜方式、表面弾性波方式、赤外線方式、電磁誘導方式、静電容量方式などが挙げられ、いずれの方式を採用することもできる。
【０１０６】
通話部５３０は、スピーカ５３１やマイクロホン５３２を備え、マイクロホン５３２を通じて入力されたユーザの音声を主制御部５０１にて処理可能な音声データに変換して主制御部５０１に出力したり、無線通信部５１０あるいは外部入出力部５６０により受信された音声データを復号してスピーカ５３１から出力するものである。また、図１５に示すように、例えば、スピーカ５３１及びマイクロホン５３２を表示入力部５２０が設けられた面と同じ面に搭載することができる。
【０１０７】
操作部５４０は、キースイッチなどを用いたハードウェアキーであって、ユーザからの指示を受け付けるものである。例えば、操作部５４０は、スマートフォン５００の筐体５０２の表示部の下部、下側面に搭載され、指などで押下されるとオンとなり、指を離すとバネなどの復元力によってオフ状態となる押しボタン式のスイッチである。
【０１０８】
記憶部５５０は、主制御部５０１の制御プログラムや制御データ、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部５５０は、スマートフォン内蔵の内部記憶部５５１と着脱自在な外部メモリスロットを有する外部記憶部５５２により構成される。尚、記憶部５５０を構成するそれぞれの内部記憶部５５１と外部記憶部５５２は、フラッシュメモリタイプ（flash memory type）、ハードディスクタイプ（hard disk type）、マルチメディアカードマイクロタイプ（multimedia card micro type）、カードタイプのメモリ（例えば、Micro SD（登録商標）メモリ等）、ＲＡＭ（Random Access Memory）、ＲＯＭ（Read Only Memory）などの格納媒体を用いて実現される。
【０１０９】
外部入出力部５６０は、スマートフォン５００に連結される全ての外部機器とのインターフェースの役割を果たすものであり、他の外部機器に通信等（例えば、ユニバーサルシリアルバス（ＵＳＢ）、IEEE1394など）又はネットワーク（例えば、インターネット、無線ＬＡＮ、ブルートゥース（Bluetooth）（登録商標）、ＲＦＩＤ（Radio Frequency Identification）、赤外線通信（Infrared Data Association：ＩｒＤＡ）（登録商標）、ＵＷＢ（Ultra Wideband）（登録商標）、ジグビー（ZigBee）（登録商標）など）により直接的又は間接的に接続するためのものである。
【０１１０】
スマートフォン５００に連結される外部機器としては、例えば、有／無線ヘッドセット、有／無線外部充電器、有／無線データポート、カードソケットを介して接続されるメモリカード（Memory card）やＳＩＭ(Subscriber Identity Module Card)／ＵＩＭ(User Identity Module Card)カード、オーディオ・ビデオＩ／Ｏ（Input/Output）端子を介して接続される外部オーディオ・ビデオ機器、無線接続される外部オーディオ・ビデオ機器、有／無線接続されるスマートフォン、有／無線接続されるパーソナルコンピュータ、有／無線接続されるPDA、有／無線接続されるパーソナルコンピュータ、イヤホンなどがある。外部入出力部は、このような外部機器から伝送を受けたデータをスマートフォン５００の内部の各構成要素に伝達することや、スマートフォン５００の内部のデータが外部機器に伝送されるようにすることができる。
【０１１１】
ＧＰＳ受信部５７０は、主制御部５０１の指示に従って、GPS衛星ＳＴ１〜ＳＴｎから送信されるGPS信号を受信し、受信した複数のGPS信号に基づく測位演算処理を実行し、当該スマートフォン５００の緯度、経度、高度からなる位置を検出する。ＧＰＳ受信部５７０は、無線通信部５１０や外部入出力部５６０（例えば、無線ＬＡＮ）から位置情報を取得できるときには、その位置情報を用いて位置を検出することもできる。
【０１１２】
モーションセンサ部５８０は、例えば、３軸の加速度センサなどを備え、主制御部５０１の指示に従って、スマートフォン５００の物理的な動きを検出する。スマートフォン５００の物理的な動きを検出することにより、スマートフォン５００の動く方向や加速度が検出される。この検出結果は、主制御部５０１に出力されるものである。
【０１１３】
電源部５９０は、主制御部５０１の指示に従って、スマートフォン５００の各部に、バッテリ（図示しない）に蓄えられる電力を供給するものである。
【０１１４】
主制御部５０１は、マイクロプロセッサを備え、記憶部５５０が記憶する制御プログラムや制御データに従って動作し、スマートフォン５００の各部を統括して制御するものである。また、主制御部５０１は、無線通信部５１０を通じて、音声通信やデータ通信を行うために、通信系の各部を制御する移動通信制御機能と、アプリケーション処理機能を備える。
【０１１５】
アプリケーション処理機能は、記憶部５５０が記憶するアプリケーションソフトウェアに従って主制御部５０１が動作することにより実現するものである。アプリケーション処理機能としては、例えば、外部入出力部５６０を制御して対向機器とデータ通信を行う赤外線通信機能や、電子メールの送受信を行う電子メール機能、Webページを閲覧するWebブラウジング機能などがある。
【０１１６】
また、主制御部５０１は、受信データやダウンロードしたストリーミングデータなどの画像データ（静止画像や動画像のデータ）に基づいて、映像を表示入力部５２０に表示する等の画像処理機能を備える。画像処理機能とは、主制御部５０１が、上記画像データを復号し、この復号結果に画像処理を施して、画像を表示入力部５２０に表示する機能のことをいう。
【０１１７】
更に、主制御部５０１は、表示パネル５２１に対する表示制御と、操作部５４０、操作パネル５２２を通じたユーザ操作を検出する操作検出制御を実行する。
【０１１８】
表示制御の実行により、主制御部５０１は、アプリケーションソフトウェアを起動するためのアイコンや、スクロールバーなどのソフトウェアキーを表示し、あるいは電子メールを作成するためのウィンドウを表示する。尚、スクロールバーとは、表示パネル５２１の表示領域に収まりきれない大きな画像などについて、画像の表示部分を移動する指示を受け付けるためのソフトウェアキーのことをいう。
【０１１９】
また、操作検出制御の実行により、主制御部５０１は、操作部５４０を通じたユーザ操作を検出したり、操作パネル５２２を通じて、上記アイコンに対する操作や、上記ウィンドウの入力欄に対する文字列の入力を受け付けたり、あるいは、スクロールバーを通じた表示画像のスクロール要求を受け付ける。
【０１２０】
更に、操作検出制御の実行により主制御部５０１は、操作パネル５２２に対する操作位置が、表示パネル５２１に重なる重畳部分（表示領域）か、それ以外の表示パネル５２１に重ならない外縁部分（非表示領域）かを判定し、操作パネル５２２の感応領域や、ソフトウェアキーの表示位置を制御するタッチパネル制御機能を備える。
【０１２１】
また、主制御部５０１は、操作パネル５２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【０１２２】
カメラ部５４１は、CMOS(Complementary Metal Oxide Semiconductor)やCCD(Charge-Coupled Device)などの撮像素子を用いて電子撮像するデジタルカメラである。このカメラ部５４１に前述した撮像装置を適用することができる。メカ的な切り替え機構等を必要とせずに、広角画像と望遠画像とを撮像することができ、スマートフォン５００のように薄型の携帯端末に組み込むカメラ部として好適である。
【０１２３】
また、カメラ部５４１は、主制御部５０１の制御により、撮像によって得た画像データを、例えばJPEG(Joint Photographic coding Experts Group)などの圧縮した画像データに変換し、記憶部５５０に記録したり、外部入出力部５６０や無線通信部５１０を通じて出力することができる。図１５に示すにスマートフォン５００において、カメラ部５４１は表示入力部５２０と同じ面に搭載されているが、カメラ部５４１の搭載位置はこれに限らず、表示入力部５２０の背面に搭載されてもよいし、あるいは、複数のカメラ部５４１が搭載されてもよい。尚、複数のカメラ部５４１が搭載されている場合には、撮像に供するカメラ部５４１を切り替えて単独にて撮像したり、あるいは、複数のカメラ部５４１を同時に使用して撮像することもできる。
【０１２４】
また、カメラ部５４１はスマートフォン５００の各種機能に利用することができる。例えば、表示パネル５２１にカメラ部５４１で取得した画像を表示することや、操作パネル５２２の操作入力のひとつとして、カメラ部５４１の画像を利用することができる。また、ＧＰＳ受信部５７０が位置を検出する際に、カメラ部５４１からの画像を参照して位置を検出することもできる。更には、カメラ部５４１からの画像を参照して、３軸の加速度センサを用いずに、あるいは、３軸の加速度センサと併用して、スマートフォン５００のカメラ部５４１の光軸方向を判断することや、現在の使用環境を判断することもできる。勿論、カメラ部５４１からの画像をアプリケーションソフトウェア内で利用することもできる。
【０１２５】
［その他］
第５の実施形態のレンズフード１０−５の第１の遮光壁１２−５及び第２の遮光壁１４−５の各遮光壁は、光軸中心からの距離に応じて高さが異なり、一方、各遮光壁の間隔はほぼ同一であるが、これに限らず、遮光壁の高さが低い程、第１の遮光壁及び第２の遮光壁の隣接する遮光壁の間隔を狭くすることが好ましい。第１の遮光壁及び第２の遮光壁の高さが低くなると、不要光（斜め光）が入射しやすくなる。そこで、遮光壁の高さを低くした分だけ遮光壁間の間隔を狭くすることにより、遮光壁の高さにかかわらず不要光の入射を防止する。
【０１２６】
また、本実施形態のレンズフードの筒状の最外周の第１の遮光壁は、円筒状に形成されているが、これに限らず、角筒状に形成されたものでもよい。更に、最外周の第１の遮光壁の内部空間を複数の空間に仕切る第２の遮光壁の数及び形状は、本実施形態に限定されず、本発明の精神を逸脱しない範囲で種々の変形が可能であることは言うまでもない。
【符号の説明】
【０１２７】
１０、１０−２、１０−３−１０−４、１０−５…レンズフード、１２、１２−２、１２−３、１２−４、１２−５…第１の遮光壁、１３…多焦点レンズ、１３−１…広角レンズ、１３−２…反射式望遠レンズ、１４、１４−２、１４−３、１４−４、１４−５…第２の遮光壁、１７…指向性センサ
【図１】
0006257476.tif 000002
【図２】
0006257476.tif 000003
【図３】
0006257476.tif 000004
【図４】
0006257476.tif 000005
【図５】
0006257476.tif 000006
【図６】
0006257476.tif 000007
【図７】
0006257476.tif 000008
【図８】
0006257476.tif 000009
【図９】
0006257476.tif 000010
【図１０】
0006257476.tif 000011
【図１１】
0006257476.tif 000012
【図１２】
0006257476.tif 000013
【図１３】
0006257476.tif 000014
【図１４】
0006257476.tif 000015
【図１５】
0006257476.tif 000016
【図１６】
0006257476.tif 000017
【図１７】
0006257476.tif 000018